【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
内部に特定領域（２５）を有し且つ遊技者に有利な第１状態と遊技者に不利な第２状態とに変換動作可能な可変入賞手段（１３）と、遊技球が入賞可能な特定入賞手段（１４ａ）〜（１４ｃ）と、該特定入賞手段（１４ａ）〜（１４ｃ）に遊技球が入賞することを条件に前記可変入賞手段（１３）を所定回数変換動作させる第１変換動作制御手段（２７）と、通常遊技状態において前記特定領域（２５）に遊技球が入賞することに基づいて遊技者に有利な利益状態を発生させる利益状態発生手段（２８）とを備えた弾球遊技機において、前記利益状態が発生した場合に、該利益状態を特別利益状態（Ａ）と該特別利益状態（Ａ）よりも遊技者に不利な非特別利益状態（Ｂ）（Ｃ）との何れかに制御する利益状態制御手段（２９）を備え、該利益状態制御手段（２９）は前記可変入賞手段（１３）に遊技球が入賞することを条件に抽選された乱数値により特定遊技状態とするか否かを判定する遊技状態判定手段（３８）と、該遊技状態判定手段（３８）が特定遊技状態と判定した場合に、次の前記利益状態の発生まで又は前記可変入賞手段（１３）若しくは前記特定入賞手段（１４ａ）〜（１４ｃ）に所定数の遊技球が入賞するまで特定遊技状態を発生させる特定遊技状態発生手段（３１）と、前記通常遊技状態において前記利益状態が発生したときに、前記特別利益状態（Ａ）と前記非特別利益状態（Ｂ）（Ｃ）との何れかを選択する利益状態選択手段（３３）と、前記特定遊技状態において前記利益状態が発生したときに前記特別利益状態（Ａ）を選択する特別利益状態選択手段（３４）と、選択された前記特別利益状態（Ａ）、前記非特別利益状態（Ｂ）（Ｃ）で前記可変入賞手段（１３）を変換動作させる変換動作制御手段（３５）とを備えたことを特徴とする弾球遊技機。
【請求項２】
内部に特定領域（２５）を有し且つ遊技者に有利な第１状態と遊技者に不利な第２状態とに変換動作可能な可変入賞手段（１３）と、遊技球が入賞可能な特定入賞手段（１４ａ）〜（１４ｃ）と、該特定入賞手段（１４ａ）〜（１４ｃ）に遊技球が入賞することを条件に前記可変入賞手段（１３）を所定回数変換動作させる第１変換動作制御手段（２７）と、通常遊技状態において前記特定領域（２５）に遊技球が入賞することに基づいて遊技者に有利な利益状態を発生させる利益状態発生手段（２８）とを備えた弾球遊技機において、前記利益状態が発生した場合に、該利益状態を特別利益状態（Ａ）と該特別利益状態（Ａ）よりも遊技者に不利な非特別利益状態（Ｂ）（Ｃ）との何れかに制御する利益状態制御手段（２９）を備え、該利益状態制御手段（２９）は前記特定入賞手段（１４ａ）〜（１４ｃ）に遊技球が入賞することを条件に抽選された乱数値により特定遊技状態とするか否かを判定する遊技状態判定手段（３８）と、該遊技状態判定手段（３８）が特定遊技状態と判定した場合に、次の前記利益状態の発生まで又は前記可変入賞手段（１３）若しくは前記特定入賞手段（１４ａ）〜（１４ｃ）に所定数の遊技球が入賞するまで特定遊技状態を発生させる特定遊技状態発生手段（３１）と、前記通常遊技状態において前記利益状態が発生したときに前記特別利益状態（Ａ）と前記非特別利益状態（Ｂ）（Ｃ）との何れかを選択する利益状態選択手段（３３）と、前記特定遊技状態において前記利益状態が発生したときに前記特別利益状態（Ａ）を選択する特別利益状態選択手段（３４）と、選択された前記特別利益状態（Ａ）、前記非特別利益状態（Ｂ）（Ｃ）で前記可変入賞手段（１３）を変換動作させる変換動作制御手段（３５）とを備えたことを特徴とする弾球遊技機。
【請求項３】
前記遊技状態判定手段（３８）は前記利益状態の終了後に前記特定入賞手段（１４ａ）〜（１４ｃ）に遊技球が入賞することを条件に抽選された乱数値により特定遊技状態とするか否かを判定することを特徴とする請求項２に記載の弾球遊技機。
【手続補正２】
【補正対象書類名】明細書
【補正対象項目名】０００７
【補正方法】変更
【補正の内容】
【０００７】
本発明は、内部に特定領域２５を有し且つ遊技者に有利な第１状態と遊技者に不利な第２状態とに変換動作可能な可変入賞手段１３と、遊技球が入賞可能な特定入賞手段１４ａ〜１４ｃと、該特定入賞手段１４ａ〜１４ｃに遊技球が入賞することを条件に前記可変入賞手段１３を所定回数変換動作させる第１変換動作制御手段２７と、通常遊技状態において前記特定領域２５に遊技球が入賞することに基づいて遊技者に有利な利益状態を発生させる利益状態発生手段２８とを備えた弾球遊技機において、前記利益状態が発生した場合に、該利益状態を特別利益状態Ａと該特別利益状態Ａよりも遊技者に不利な非特別利益状態Ｂ，Ｃとの何れかに制御する利益状態制御手段２９を備え、該利益状態制御手段２９は前記可変入賞手段１３に遊技球が入賞することを条件に抽選された乱数値により特定遊技状態とするか否かを判定する遊技状態判定手段３８と、該遊技状態判定手段３８が特定遊技状態と判定した場合に、次の前記利益状態の発生まで又は前記可変入賞手段１３若しくは前記特定入賞手段１４ａ〜１４ｃに所定数の遊技球が入賞するまで特定遊技状態を発生させる特定遊技状態発生手段３１と、前記通常遊技状態において前記利益状態が発生したときに、前記特別利益状態Ａと前記非特別利益状態Ｂ，Ｃとの何れかを選択する利益状態選択手段３３と、前記特定遊技状態において前記利益状態が発生したときに前記特別利益状態Ａを選択する特別利益状態選択手段３４と、選択された前記特別利益状態Ａ、前記非特別利益状態Ｂ，Ｃで前記可変入賞手段１３を変換動作させる変換動作制御手段３５とを備えたものである。
また別の本発明は、内部に特定領域２５を有し且つ遊技者に有利な第１状態と遊技者に不利な第２状態とに変換動作可能な可変入賞手段１３と、遊技球が入賞可能な特定入賞手段１４ａ〜１４ｃと、該特定入賞手段１４ａ〜１４ｃに遊技球が入賞することを条件に前記可変入賞手段１３を所定回数変換動作させる第１変換動作制御手段２７と、通常遊技状態において前記特定領域２５に遊技球が入賞することに基づいて遊技者に有利な利益状態を発生させる利益状態発生手段２８とを備えた弾球遊技機において、前記利益状態が発生した場合に、該利益状態を特別利益状態Ａと該特別利益状態Ａよりも遊技者に不利な非特別利益状態Ｂ，Ｃとの何れかに制御する利益状態制御手段２９を備え、該利益状態制御手段２９は前記特定入賞手段１４ａ〜１４ｃに遊技球が入賞することを条件に抽選された乱数値により特定遊技状態とするか否かを判定する遊技状態判定手段３８と、該遊技状態判定手段３８が特定遊技状態と判定した場合に、次の前記利益状態の発生まで又は前記可変入賞手段１３若しくは前記特定入賞手段１４ａ〜１４ｃに所定数の遊技球が入賞するまで特定遊技状態を発生させる特定遊技状態発生手段３１と、前記通常遊技状態において前記利益状態が発生したときに前記特別利益状態Ａと前記非特別利益状態Ｂ，Ｃとの何れかを選択する利益状態選択手段３３と、前記特定遊技状態において前記利益状態が発生したときに前記特別利益状態Ａを選択する特別利益状態選択手段３４と、選択された前記特別利益状態Ａ、前記非特別利益状態Ｂ，Ｃで前記可変入賞手段１３を変換動作させる変換動作制御手段３５とを備えたものである。
【手続補正３】
【補正対象書類名】明細書
【補正対象項目名】０００８
【補正方法】変更
【補正の内容】
【０００８】
本発明では、従来に比較して遊技性が向上し、遊技者の興趣を増大できる利点がある。